(57)【特許請求の範囲】
【請求項１】
液体を吸収してこれを保持し得る吸収体と、
この吸収体から分離して配され、当該吸収体によって吸収されるべき液体を一時的に貯溜する可撓性かつ液不透過性のトラップ部と、
このトラップ部内に貯溜された液体を前記吸収体に導くための誘導部材と
を具えたことを特徴とする吸収体製品。
【請求項２】
前記トラップ部は、液不透過性のシートにより形成され、このシートの表面と前記吸収体の少なくとも一部とが重なり合っていることを特徴とする請求項１に記載の吸収体製品。
【請求項３】
前記トラップ部は、前記シートの表面に臨む開口を有することを特徴とする請求項２に記載の吸収体製品。
【請求項４】
前記開口は、前記吸収体の長手方向に沿って延在していることを特徴とする請求項３に記載の吸収体製品。
【請求項５】
前記開口は、前記吸収体の幅方向に沿って延在していることを特徴とする請求項３に記載の吸収体製品。
【請求項６】
前記吸収体は、前記開口を跨ぐように配されることを特徴とする請求項３から請求項５の何れかに記載の吸収体製品。
【請求項７】
液体を吸収してこれを保持し得る吸収体と、
この吸収体によって吸収されるべき液体を一時的に貯溜する可撓性かつ液不透過性のトラップ部と
を具え、前記トラップ部は、表面が前記吸収体の少なくとも一部に重なり合う液不透過性のシートにより形成されると共にこのシートの表面に臨む開口を有し、前記吸収体は、前記開口を跨ぐように配され、かつ前記シートの表面に対して反対側の面から前記トラップ部の前記開口に臨む連通孔を有することを特徴とする吸収体製品。
【請求項８】
液体を吸収してこれを保持し得る吸収体と、
この吸収体の幅方向両側縁部から側方に延在し、液不透過性のシートにより形成された一対のフラップ部と、
これら一対のフラップ部に形成され、前記吸収体によって吸収されるべき液体を一時的に貯溜する可撓性のトラップ部と
を具え、前記トラップ部は、これら一対のフラップ部の表面に臨むスリット状の開口をそれぞれ有することを特徴とする吸収体製品。
【請求項９】
液体を吸収してこれを保持し得る吸収体と、
この吸収体によって吸収されるべき液体を一時的に貯溜する可撓性かつ液不透過性のトラップ部と、
このトラップ部内に貯溜された液体を前記吸収体に導くための誘導部材と
を具え、前記トラップ部が前記吸収体の幅方向両側に配されていることを特徴とする吸収体製品。
【請求項１０】
前記トラップ部は、液不透過性のシートにより形成され、このシートの表面と前記吸収体の少なくとも一部とが重なり合っていることを特徴とする請求項９に記載の吸収体製品。
【請求項１１】
前記トラップ部は、前記シートの表面に臨む開口を有することを特徴とする請求項１０に記載の吸収体製品。
【請求項１２】
前記開口は、前記吸収体の長手方向に沿って延在していることを特徴とする請求項１１に記載の吸収体製品。
【請求項１３】
液体を吸収してこれを保持し得る吸収体と、
この吸収体によって吸収されるべき液体を一時的に貯溜する可撓性かつ液不透過性のトラップ部と、
このトラップ部内に貯溜された液体を前記吸収体に導くための誘導部材と
を具え、前記トラップ部が液不透過性のシートにより形成されると共に男性の陰茎をその内側に導くための陰茎案内部を有し、前記吸収体の少なくとも一端部が前記トラップ部に収容されていることを特徴とする吸収体製品。
【請求項１４】
液体を吸収してこれを保持し得る吸収体と、
この吸収体によって吸収されるべき液体を一時的に貯溜する可撓性かつ液不透過性のトラップ部と
を具え、前記トラップ部は、男性の陰茎を内側に導くための陰茎案内部を有する外袋と、この外袋内に収容されると共に前記吸収体の少なくとも一端部が収容される可撓性を持った液不透過性の内袋とを有することを特徴とする吸収体製品。
【請求項１５】
前記内袋は、膨出可能な折り返し部を有することを特徴とする請求項１４に記載の吸収体製品。
【請求項１６】
前記外袋は、前記内袋の前記折り返し部の一部が前記外袋の外側に膨出し得る開口部をさらに具えたことを特徴とする請求項１５に記載の吸収体製品。
【請求項１７】
前記吸収体と前記シートとの間に設けられ、前記シートに対する前記吸収体の位置ずれを防止するための位置ずれ防止部材をさらに具えたことを特徴とする請求項２から請求項８および請求項１３の何れかに記載の吸収体製品。
【請求項１８】
前記シートの左右両側縁部に沿って当該シートの左右両側縁部に伸長状態で接合された一対の弾性部材をさらに具えたことを特徴とする請求項２から請求項８および請求項１３ならびに請求項１７の何れかに記載の吸収体製品。
【請求項１９】
前記吸収体は、シート状をなす不織布基材と、この不織布基材に所定間隔で塗工された複数の液吸収部とを有することを特徴とする請求項１から請求項１８の何れかに記載の吸収体製品。
【請求項２０】
前記吸収体は、５０〜９５重量％のＳＡＰを含んでいることを特徴とする請求項１から請求項１９の何れかに記載の吸収体製品。
【請求項２１】
前記吸収体は、水崩壊性を有することを特徴とする請求項１から請求項２０の何れかに記載の吸収体製品。
【請求項２２】
請求項１６に記載の吸収体製品の製造方法であって、
単一のシート材料の幅方向両側縁部にそれぞれ開口し、それぞれ開口部となる一対の切欠をこの単一のシート材料の幅方向に沿って一直線状に形成するステップと、
前記一対の切欠を含むように前記単一のシート材料をその幅方向に沿って折り返すステップと、
折り返された前記単一のシート材料の相互に重なり合う幅方向両側縁部を接合してトラップ部を形成するステップと
を具えたことを特徴とする吸収体製品の製造方法。
【請求項２３】
請求項１５に記載の吸収体製品に用いられる内袋であって、
矩形をなすシートの左右両側を中央側に折り返してなる左右一対の第１折り返し部と、
前記シートの下側を上側に折り返してなる第２の折り返し部と、
この第２折り返し部の上部を下側に折り返してなる第３の折り返し部と、
この第３の折り返し部の中央部と前記シートの上側の中央部とに両端部が接合される吊り下げテープと
を具えたことを特徴とする内袋。
【請求項２４】
請求項２３に記載の内袋の製造方法であって、
矩形をなすシートの左右両側を中央側に折り返して第１の折り返し部を形成するステップと、
前記シートの下側を上側に折り返して第２の折り返し部を形成するステップと、
前記第２の折り返し部の上部を下側に再び折り返して第３の折り返し部を形成するステップと、
前記第３の折り返し部の中央部と前記シートの上側の中央部とに吊り下げテープの両端部を接合するステップと
を具えたことを特徴とする内袋の製造方法。
【発明の詳細な説明】
【０００１】
【発明の属する技術分野】
本発明は、かさばらない合理的な吸収体製品とその製造方法およびこれに用いられる内袋とその製造方法ならびに下ばきに関する。
【０００２】
【従来の技術】
液透過性のトップシートと液不透過性のバックシートとの間に吸収体を介在させた従来の各種吸収体製品、例えば子供用または大人用のおむつ，女性用生理用品，軽中度失禁パッド，ペット用排泄処理用品において、尿などの液体を吸収保持する役割を担う吸収体は、主にフラッフ状パルプとＳＡＰ（高吸液性樹脂）との混合体である吸収性コアと、この吸収性コアを包むティッシュなどのコア被覆材とで構成されている。
【０００３】
このような吸収体製品に対し、省資源化，物流コストの削減，小売店などでのシェルフ効率の改善などの観点から、超薄型あるいは超々薄型と呼称される軽量かつコンパクトなものが要求され、これが現在の主流になりつつある。このような超薄型の吸収体製品を実現し得る最大のポイントは、吸収体製品中で重量および体積の大部分を占める吸収体そのものの重量を下げ、かつこれをコンパクトにすることである。すなわち、フラッフ状パルプとＳＡＰとの混合体で構成された吸収体コアの薄型化は、ＳＡＰの相対含有率を高めたり、混合体に代えてシート状ＳＡＰを用いることで実現化される。
【０００４】
【発明が解決しようとする課題】
吸収体中のＳＡＰの相対含有率を高めたり、混合体に代えてシート状ＳＡＰを用いることによって、吸収体製品の薄型化を達成したものであっても、ＳＡＰの含有率には限界があり、従来ではその限界が５０〜６０％程度しかなかった。その原因は、ＳＡＰのゲルブロック現象や吸収特性にあり、特に問題となるのは、ＳＡＰは吸収保持性は高いものの、その吸収速度、特に吸収の立ち上がり速度が遅いという特性に起因するものである。
【０００５】
例えば、尿などの排出速度は個人差，性差，年齢差などによって異なるが、最も早い例では１００ccの尿が１０秒前後で排出される。これに対し、ＳＡＰはその吸収速度が改善されたものであっても、液体が接してから吸収能力を充分に発揮する状態に至るまで、少なくとも３０秒以上を必要とする。このような尿の排出速度と吸収体の一部を構成するＳＡＰによる液体の吸収速度との間に存在する大きな速度差によって、尿の排出直後の段階では、尿の大部分が未吸収のまま吸収体製品内に滞留することとなる。そして、この未吸収の尿の吸収体製品内での自由な移動が、吸収体製品からの尿の漏れの大きな原因となる。
【０００６】
このため、ＳＡＰを高い割合で含有する吸収体の表面、一般的にはトップシートとの間にアクイジション層やトランスファ層と呼称される嵩高な不織布状ウェブやカーリーファイバと呼称される弾性復元力の大きな部分架橋処理を施したフラッフパルプ層を介在させることにより、これらの機能性要素に尿を一時的に貯溜させて吸収体製品内での自由な移動を抑制し、最終的にこれら機能性要素に保持された尿をＳＡＰに漸次吸収させるようにしていた。
【０００７】
従って、吸収体に占めるＳＡＰの含有率が高くなるほど、それに応じてより厚く積層したアクイジション層やトランスファ層を形成する必要が生ずるため、逆に吸収体の薄型化が阻害される上、製造コストの上昇も招いてしまう不具合があった。
【０００８】
【発明の目的】
本発明の目的は、ＳＡＰの含有率を５０％以上、好ましくは８０〜９０％に設定した吸収体を使用することが可能であって、極めて薄くかさばらない吸収体製品とその製造方法およびこれに用いられる内袋とその製造方法を提供することにある。
【０００９】
本発明の他の目的は、ＳＡＰの含有率を５０％以上、好ましくは８０〜９０％に設定した吸収体を装着することが可能であって、極めて薄くかさばらない下ばきを提供することにある。
【００１０】
【課題を解決するための手段】
本発明の第１の形態は、液体を吸収してこれを保持し得る吸収体と、この吸収体から分離して配され、当該吸収体によって吸収されるべき液体を一時的に貯溜する可撓性かつ液不透過性のトラップ部と、このトラップ部内に貯溜された液体を前記吸収体に導くための誘導部材とを具えたことを特徴とする吸収体製品である。
【００１１】
本発明においては、尿などの液体が大量に排出された場合、吸収体によって瞬時に吸収し切れない液体をトラップ部に一時的に貯溜させ、このトラップ部内に貯溜された液体を誘導部材を介して吸収体に導くことにより、吸収体が液体を漸次吸収保持することとなる。
【００１２】
本発明の第２の形態は、液体を吸収してこれを保持し得る吸収体と、この吸収体によって吸収されるべき液体を一時的に貯溜する可撓性かつ液不透過性のトラップ部とを具え、前記トラップ部は、表面が前記吸収体の少なくとも一部に重なり合う液不透過性のシートにより形成されると共にこのシートの表面に臨む開口を有し、前記吸収体は、前記開口を跨ぐように配され、かつ前記シートの表面に対して反対側の面から前記トラップ部の前記開口に臨む連通孔を有することを特徴とする吸収体製品である。
本発明の第３の形態は、液体を吸収してこれを保持し得る吸収体と、この吸収体の幅方向両側縁部から側方に延在し、液不透過性のシートにより形成された一対のフラップ部と、これら一対のフラップ部に形成され、前記吸収体によって吸収されるべき液体を一時的に貯溜する可撓性のトラップ部とを具え、前記トラップ部は、これら一対のフラップ部の表面に臨むスリット状の開口をそれぞれ有することを特徴とする吸収体製品である。
本発明の第４の形態は、液体を吸収してこれを保持し得る吸収体と、この吸収体によって吸収されるべき液体を一時的に貯溜する可撓性かつ液不透過性のトラップ部と、このトラップ部内に貯溜された液体を前記吸収体に導くための誘導部材とを具え、前記トラップ部が前記吸収体の幅方向両側に配されていることを特徴とする吸収体製品にある。
本発明の第５の形態は、液体を吸収してこれを保持し得る吸収体と、この吸収体によって吸収されるべき液体を一時的に貯溜する可撓性かつ液不透過性のトラップ部と、このトラップ部内に貯溜された液体を前記吸収体に導くための誘導部材とを具え、前記トラップ部が液不透過性のシートにより形成されると共に男性の陰茎をその内側に導くための陰茎案内部を有し、前記吸収体の少なくとも一端部が前記トラップ部に収容されていることを特徴とする吸収体製品にある。
本発明の第６の形態は、液体を吸収してこれを保持し得る吸収体と、この吸収体によって吸収されるべき液体を一時的に貯溜する可撓性かつ液不透過性のトラップ部とを具え、前記トラップ部は、男性の陰茎を内側に導くための陰茎案内部を有する外袋と、この外袋内に収容されると共に前記吸収体の少なくとも一端部が収容される可撓性を持った液不透過性の内袋とを有することを特徴とする吸収体製品にある。
本発明の第７の形態は、内袋が膨出可能な折り返し部を有すると共に内袋の折り返し部の一部が外袋の外側に膨出し得る開口部を外袋に設けた本発明の第６の形態による吸収体製品の製造方法であって、単一のシート材料の幅方向両側縁部にそれぞれ開口し、それぞれ開口部となる一対の切欠をこの単一のシート材料の幅方向に沿って一直線状に形成するステップと、前記一対の切欠を含むように前記単一のシート材料をその幅方向に沿って折り返すステップと、折り返された前記単一のシート材料の相互に重なり合う幅方向両側縁部を接合してトラップ部を形成するステップとを具えたことを特徴とするものである。
【００１３】
本発明の第８の形態は、内袋が膨出可能な折り返し部を有する本発明の第６の形態による吸収体製品に用いられる内袋であって、矩形をなすシートの左右両側を中央側に折り返してなる左右一対の第１折り返し部と、前記シートの下側を上側に折り返してなる第２の折り返し部と、この第２折り返し部の上部を下側に折り返してなる第３の折り返し部と、この第３の折り返し部の中央部と前記シートの上側の中央部とに両端部が接合される吊り下げテープとを具えたことを特徴とするものである。
【００１４】
本発明においては、内袋内に大量の尿が放出された場合、吊り下げテープの両側に位置する第１の折り返し部と第２の折り返し部とが膨出して内袋の容積を増大させ、内袋から尿の漏洩を阻止する。
【００１５】
本発明の第９の形態は、本発明の第８の形態による内袋の製造方法であって、矩形をなすシートの左右両側を中央側に折り返して第１の折り返し部を形成するステップと、前記シートの下側を上側に折り返して第２の折り返し部を形成するステップと、前記第２の折り返し部の上部を下側に再び折り返して第３の折り返し部を形成するステップと、前記第３の折り返し部の中央部と前記シートの上側の中央部とに吊り下げテープの両端部を接合するステップとを具えたことを特徴とするものである。
【００２２】
【発明の実施の形態】
本発明の第１の形態による吸収体製品において、トラップ部が液不透過性のシートにより形成され、このシートの表面と吸収体の少なくとも一部とが重なり合っているものであってよい。
【００２３】
この場合、トラップ部がシートの表面に臨む開口を有することができ、この開口が吸収体の長手方向に沿って延在していてもよいし、吸収体の幅方向に沿って延在していてもよい。吸収体がこの開口を跨ぐように配されるものであってよい。
【００２４】
トラップ部は、吸収体の幅方向両側に配されているものであってよい。
【００２６】
トラップ部が液不透過性のシートにより形成されると共に男性の陰茎をその内側に導くための陰茎案内部を有し、吸収体の少なくとも一端部をトラップ部に収容することができる。
【００２７】
本発明の第４の形態による吸収体製品において、内袋は、膨出可能な折り返し部を有することができ、さらにこの内袋の折り返し部の一部が外袋の外側に膨出し得る開口部を外袋に設けることができる。
【００２８】
本発明の第１〜第３の形態による吸収体製品において、吸収体とシートとの間にシートに対する吸収体の位置ずれを防止するための位置ずれ防止部材をさらに設けることができる。
【００２９】
シートの左右両側縁部に沿って当該シートの左右両側縁部に伸長状態で一対の弾性部材をさらに接合することができる。
【００３０】
本発明の第１〜第４の形態による吸収体製品において、吸収体がシート状をなす不織布基材と、この不織布基材に所定間隔で塗工された複数の液吸収部とを有するものであってよく、５０〜９５重量％のＳＡＰを含むことができ、水崩壊性を有するものであってよい。
【００３２】
本発明の第８の形態による下ばきにおいて、トラップ部は、下ばきの内面に臨む開口を有するものであってよい。この場合、開口を吸収体の長手方向に沿って延在させることができる。
【００３３】
トラップ部を下ばきの股下部の左右両側に配することができる。あるいは、吸収体の少なくとも一端部が差し込まれる開口をトラップ部に設けることができる。
【００３４】
吸収体がシート状をなす不織布基材と、この不織布基材に所定間隔で塗工された複数の液吸収部とを有するものであってよく、５０〜９５重量％のＳＡＰを含むことができる。
【００３５】
【実施例】
本発明による吸収体製品とその製造方法およびこれに用いられる内袋とその製造方法ならびに下ばきに関する実施例について、図１〜図３１を参照しながら詳細に説明するが、本発明はこれらの実施例のみに限らず、これらをさらに組み合わせたり、この明細書の特許請求の範囲に記載された本発明の概念に包含されるあらゆる変更や修正が可能であり、従って本発明の精神に帰属する他の任意の技術にも当然応用することができる。
【００３６】
第１の実施例の正面形状を図１に示す。すなわち、本実施例における吸収体製品Ｐは、液不透過性のバックアップシート１１と、このバックアップシート１１に一体的に重ねられる吸収体１２と、この吸収体１２の少なくとも一端側（通常、使用時に下側となる）が収容される可撓性の袋状トラップ部１３Ｂをバックアップシート１１との間に形成するトラップシート１４とを具えている。本実施例における吸収体１２の他端側は、袋状トラップ部１３Ｂの開口１５から突出してバックアップシート１１の他端側にまで延在している。
【００３７】
バックアップシート１１とトラップシート１４とによって形成される袋状トラップ部１３Ｂは、吸収体１２の少なくとも一端部を収容し、使用形態に応じて袋状トラップ部１３Ｂ自体が液漏れしないような密閉状態に保たれる場合と、後述する液不透過性の内袋を併用することによって液の透過を可能とする外袋の機能を有する場合とに分けられる。
【００３８】
袋状トラップ部１３Ｂを密閉状態、つまり液不透過性に保つ必要がある使用形態として、第１に袋状トラップ部１３Ｂに格納される吸収体１２がトップシートやバックアップシートなどの丈夫な保持シートで覆われておらず、ＳＡＰまたはパルプの如き吸収性材料をティッシュなどの薄い被覆材で包んだだけの場合が挙げられる。この場合には、吸収性材料からの液漏れを防ぐ必要があるため、袋状トラップ部１３Ｂに液不透過性を持たせる。第２の例は、特に男性用の尿処理を目的として使用する場合である。ＳＡＰは、大量の液体を保持することができる反面、液体の吸収速度が遅い特性を有しており、このようなＳＡＰを高い割合で含む吸収体１２を使用した場合、ＳＡＰによる尿の吸収速度が尿の排出速度に追いつかないため、吸収体１２が吸収し切れない尿を外部に漏らさないようにする必要がある。このような場合、液不透過性の袋状トラップ部１３Ｂは、一時的に尿を貯溜する可撓性の容器として機能させることができる。
【００３９】
袋状トラップ部１３Ｂ、特にトラップシート１４に液透過性を持たせる使用形態としては、第１に液不透過性の内袋を併用する場合であり、この内袋は袋状トラップ部１３Ｂ内に収容される。この場合には、袋状トラップ部１３Ｂは内袋を収容する外袋としての機能を持つだけであるので、トラップシート１４を多孔質またはメッシュ状のものにしたり、親水性の不織布などでトラップシート１４を構成することができる。第２の例は、女性用の尿処理パッドとして用いる場合であるが、この場合であっても、少なくともトラップシート１４の一端側（下端側）を液不透過性にして吸収体１２が吸収し切れない尿を外部に漏らさないようにする必要がある。
【００４０】
本実施例におけるバックアップシート１１およびトラップシート１４は、何れも液不透過性の柔軟なＰＥシートまたはＰＥフィルムと不織布との積層シートからなり、トラップシート１４をバックアップシート１１の長手方向一端側に重ね合わせ、トラップシート１４が重なるバックアップシート１１の外周縁部を加熱融着してヒートシール１６を形成することにより、トラップシート１４の他端側（上端側）が開口する袋状トラップ部１３Ｂを形成することができる。
【００４１】
吸収体製品Ｐをコンパクトに維持したまま、この袋状トラップ部１３Ｂの容積を増大し得る本発明の他の実施例の外観を図２に示し、その中央部縦断面形状を図３に示す。すなわち、袋状トラップ部１３Ｂの一端側（図中、下端側）を上方に折り返し、その幅方向中央部と袋状トラップ部１３Ｂの開口１５近傍のトラップシート１４の他端部とを仮止めテープ１７で剥離可能に接合しておき、大量の液体が袋状トラップ部１３Ｂ内に貯溜された場合、その重みで仮止めテープ１７がバックアップシート１１またはトラップシート１４から剥離して袋状トラップ部１３Ｂを膨出させることができるようにすることも有効である。
【００４２】
バックアップシート１１とトラップシート１４とを同一の合成樹脂フィルム材料で構成した場合には、１枚の長尺シートを折り返し、この長尺シートの折り返し部分における幅方向両側端縁部を加熱融着することにより、袋状トラップ部１３Ｂを有するバックアップシート１１とトラップシート１４とを形成することも可能である。
【００４３】
液不透過性のバックアップシート１１を用いることにより、吸収体１２としてＳＡＰや木材パルプの如き吸収性材料を主体とする通常の吸収性材料と、バックアップシート１１との間でこれらを包む液透過性のトップシートまたはティッシュの如き表面被覆シートとのみで構成することができる。このような吸収体１２の構造の簡略化は、吸収性製品Ｐの設計の単純化およびコストダウンに関して大きな利点を与える。
【００４４】
吸収性製品Ｐをコンパクトに構成し、しかも衛生的に尿を処理することができるようにするため、吸収体１２は、その少なくとも一端部が袋状トラップ部１３Ｂ内に円滑かつ安定して収容され、液体を吸収して膨潤した後も安定してその形状を維持できるように、極めて薄く吸収前後においても形状安定性に優れたものであることが望ましい。このような観点から、本発明で用いられる吸収体１２は、一般的な使い捨ておむつや生理用ナプキンなどに見られるようなパルプに対するＳＡＰの混合割合よりも、ＳＡＰの割合を大幅に高め、しかも安定した形状を保つことができるシート状吸収体、例えば特開平１１−３４２００号公報に記載されているようなものが好ましい。
【００４５】
図４は、このようなシート状吸収体１２Ｓの外観を模式的に示している。このシート状吸収体１２Ｓは、不織布、好ましくは嵩高性と通気性とを有する不織布からなるベースシート１８の表面にカーテンコートの如きラインコーティング技術を適用し、ベースシート１８の長手方向に沿って相互に平行な帯状の高吸収層１９を塗布することにより形成される。これら高吸収層１９には、ＳＡＰが６０％以上、好ましくは８０〜９０％の割合で含まれる。このようなシート状吸収体１２Ｓは、ベースシート１８のみの部分と高吸収層１９を形成した部分とが存在するため、液の拡散性が良好である。
【００４６】
シート状吸収体１２Ｓの膨潤性を損なわないようにするため、このシート状吸収体１２Ｓに対して不織布やティッシュまたは多孔質フィルムなどの表面被覆シートを使用せず、その少なくとも一端部を袋状トラップ部１３Ｂに収容することが望ましい。しかしながら、必要に応じて適当な形状に折りたたんで袋状トラップ部１３Ｂへ挿入することも可能である。
【００４７】
ベースシート１８として水洗式大便器に廃棄することができる、いわゆるフラッシャブル性のものを採用し、ＳＡＰとして生分解性を有する、例えばアミノ酸系ＳＡＰを採用することにより、必要に応じて袋状トラップ部１３Ｂから使用済みの吸収体１２を取り出し、水洗式大便器にそのまま安全に廃棄することが可能である。
【００４８】
吸収体１２の長さに対して袋状トラップ部１３Ｂの深さが浅い場合には、バックアップシート１１に対して吸収体１２の位置がずれないように、バックアップシート１１と吸収体１２との間に位置ずれ防止部材２０が介装される。本実施例では、位置ずれ防止部材２０としてホットメルト接着剤を使用しているが、バックアップシート１１に対して吸収体１２を恒久的に固定する必要性はなく、粘着剤や面ファスナなどを用いてバックアップシート１１から取り外しできるようにすることも可能である。あるいは、位置ずれ防止部材２０として滑り止め剤などを用いて摩擦による位置ずれを防ぐだけでも効果を得ることができる。この位置ずれ防止部材２０の位置や形状および数などに関しては、任意に選択することができる。
【００４９】
着用者の体の曲線に沿って吸収体製品Ｐを湾曲させるため、バックアップシート１１の幅方向両側縁部に弾性部材を例えば２０％程度伸長状態で接合し、この弾性部材の収縮力によって吸収体製品Ｐを変形させることも有効である。図５は、このような吸収体製品Ｐの他の実施例を展開した状態を示しており、便宜的に吸収体１２を省略して描いている。本実施例における弾性部材２１は、バックアップシート１１の幅方向両側縁部に沿って、その長手方向ほぼ全域に亙って配置されているが、バックアップシート１１の他端側にのみ設けるようにしてもよい。
【００５０】
吸収体製品Ｐに外力が作用していない状態では、弾性部材２１がバックアップシート１１の幅方向両側縁部をその長手方向に沿って他の部分に対して収縮させるように作用する。このため、着用状態においては吸収体製品Ｐの幅方向両側縁部が身体に密着するように変形して幅方向側縁からの尿の漏出を防止することができる。
【００５１】
上述した実施例では、重力を積極的に利用して液体が袋状トラップ部１３Ｂに一時貯溜されるようにしているが、吸収体１２の吸収性能によっては、液体の移動速度や移動量を制御することが困難な場合もある。このような知見に基づくスリット状トラップ部が設けられた吸収体製品Ｐの別な実施例を図６〜図１１にそれぞれ示す。
【００５２】
図６およびそのVII−VII矢視断面構造を表す図７に示す吸収体製品Ｐは、吸収体１２が重ね合わされるバックアップシート１１の表面に開口する２つのスリット状トラップ部１３Ｃを相互に平行に相隔てて２本形成したものであり、これらスリット状トラップ部１３Ｃは、バックアップシート１１にその長手方向に沿った襠を取ることによって形成可能である。スリット状トラップ部１３Ｃは、吸収体１２の両側縁部に沿って延在するスリット状の開口２２をそれぞれ有し、吸収体１２の両側縁部がこれらの開口２２を跨いだ状態となっている。これらスリット状トラップ部１３Ｃの長手方向両端部にはヒートシール１６が形成され、スリット状トラップ部１３Ｃに流れ込む液体がここから漏れ出ないようになっている。
【００５３】
本実施例におけるバックアップシート１１は、その幅方向両側縁部が吸収体１２側に折り返され、吸収体１２の幅方向両側縁部に重ね合わされた状態となっている。また、バックアップシート１１と吸収体１２との間には、両端部がスリット状トラップ部１３Ｃ内に位置する誘導シート２３が介装され、スリット状トラップ部１３Ｃ内に貯溜された液体がこの誘導シート２３の毛細管現象を利用して吸収体１２に導かれるようになっている。誘導シート２３は、液体の浸透性に優れたティシュや不織布，布帛，発泡樹脂フィルムなどで構成することができる。
【００５４】
この吸収体製品Ｐの着用状態においては、スリット状トラップ部１３Ｃの開口２２が部分的に開いた状態となるため、吸収体１２によって瞬時に吸収し切れない液体は、これら開口２２からスリット状トラップ部１３Ｃ内にそれぞれ流れ込み、スリット状トラップ部１３Ｃが膨出してここに一時的に貯溜されるが、最終的に誘導シート２３によって吸収体１２に吸収保持される。これは、吸収体１２の吸収能力が続く限り反復使用可能であり、その吸収能力を最大限に生かすことができる。
【００５５】
本実施例では、２つのスリット状トラップ部１３Ｃをバックアップシート１１に形成したが、１つあるいは３つ以上のスリット状トラップ部１３Ｃを形成することも当然可能である。
【００５６】
図８およびそのIX−IX矢視断面構造を表す図９に示す吸収体製品Ｐは、吸収体１２によって瞬時に吸収し切れない液体を迅速にスリット状トラップ部１３Ｃに導くため、吸収体１２の表面からバックアップシート１１に形成されたスリット状トラップ部１３Ｃの開口２２に臨む一対の連通孔２４を吸収体１２に形成したものである。また、バックアップシート１１と吸収体１２との間に隙間Ｇを形成し、瞬時に吸収し切れない液体がバックアップシート１１と吸収体１２との間の隙間Ｇを通って開口２２からスリット状トラップ部１３Ｃ内に容易に流れ込むことができるようになっている。
【００５７】
バックアップシート１１と吸収体１２との間の隙間Ｇを形成する方法として、図４に示すようなシート状吸収体１２Ｓの高吸収層１９が存在しないベースシート１８の部分を例えば２つおきと１つおきとに交互にジグザグに折り返して平板状に畳み、シート状吸収体１２Ｓに嵩を持たせるか、あるいは多数の開口がそれぞれ突出状態で形成された樹脂フィルムをバックアップシート１１と吸収体１２との間に介装することによって実現可能である。この場合、シート状吸収体１２Ｓを折り畳んで嵩を持たせたとしても、アクイジション層やトランスファ層などが形成された従来の吸収体よりも、その厚みをはるかに薄く保つことができる。
【００５８】
上述した実施例では、スリット状トラップ部１３Ｃを吸収体１２の長手方向に沿って延在させたが、これを吸収体１２の幅方向に沿って延在させることも可能である。図１０およびそのXI−XI矢視断面形状を表す図１１は、このような本発明による吸収体製品Ｐの別な実施例を示しており、吸収体１２が重ね合わされるバックアップシート１１の表面に開口するスリット状トラップ部１３Ｃを吸収体１２の幅方向に沿って形成したものである。本実施例におけるスリット状トラップ部１３Ｃは、バックアップシート１１の幅方向に沿った襠をバックアップシート１１に取ることによって形成可能であり、このバックアップシート１１上にはスリット状トラップ部１３Ｃ内に貯溜された液体を吸収体１２に導くための誘導シート２３が一体的に接合されている。この実施例では、２つのスリット状トラップ部１３Ｃを吸収体１２の一端側（図中、下側）に相隔てて形成したが、１つあるいは３つ以上のスリット状トラップ部１３Ｃをバックアップシート１１に形成することも当然可能である。
【００５９】
本発明による吸収体製品Ｐは、上述した各実施例を基本的な構成とし、用途に応じて機能の追加または変更を行うことにより、望ましい使用形態を得ることができるが、吸収体製品Ｐにおける袋状トラップ部１３Ｂおよびスリット状トラップ部１３Ｃの位置は、この吸収体製品Ｐの形状，大きさ，着用位置，着用者の姿勢などの諸条件を考慮して慎重に決める必要があり、上述した実施例以外の箇所に袋状トラップ部１３Ｂまたはスリット状トラップ部１３Ｃを形成することも当然可能である。なお、トラップ部としてスリット状トラップ部１３Ｃのみを有する吸収体製品Ｐは、特に子供用または大人用の展開型あるいはパンツ型おむつに適していると言える。
【００６０】
以下、限定された用途毎に本発明による吸収体製品Ｐについて順次説明するが、先の実施例と同一機能の要素にはこれと同一符号を記すに止め、重複する部分についての説明は省略する。
【００６１】
図１２は、本発明による吸収体製品Ｐを女性用の失禁パッドまたは尿パッドに応用した実施例を示している。本実施例は、トラップシート１４の上半部を液の出入が自由なメッシュシートで構成し、下半分を液不透過性にすることにより、吸収体１２によって吸収し切れない尿をここに一時的に誘導し、多量の尿を処理することを可能としている。また、本実施例では袋状トラップ部１３Ｂに開口１５を形成して吸収体１２を出し入れできるようにしてあるが、トラップシート１４の外周縁部をすべてバックアップシート１１に接合して吸収体１２を取り出せないようにすることも可能である。
【００６２】
図１３およびそのXIV−XIV矢視断面形状を表す図１４に示した吸収体製品Ｐも、特に女性を対象にした中・軽度失禁パッドとして好適なものであり、吸収体１２の幅方向両側縁部から側方に延在する一対のフラップ部２５をバックアップシート１１に形成し、これらフラップ部２５の基端部にそれぞれスリット状トラップ部１３Ｃを形成したものである。バックアップシート１１と吸収体１２との間には、両端部が左右一対のスリット状トラップ部１３Ｃ内に位置する誘導シート２３が介装され、スリット状トラップ部１３Ｃ内に一時的に貯溜された液体がこの誘導シート２３の毛細管現象を利用して吸収体１２に導かれるようになっている。
【００６３】
図１５は、本発明による吸収体製品Ｐを男性用の失禁パッドに応用した実施例を示している。本実施例では、男性の陰茎を袋状トラップ部１３Ｂ内に導くための陰茎案内部をトラップシート１４に形成しており、これはトラップシート１４の上端縁の中央部に形成されたＶ溝状の切欠２６である。
【００６４】
図１６に示した本発明による吸収体製品Ｐは、図１に示した実施例と図１０，図１１に示した実施例とを組み合わせたものであり、このような袋状トラップ部１３Ｂとスリット状トラップ部１３Ｃとを１つの吸収体製品Ｐに形成することにより、さらに大量の液体を一時的に保持することが可能となり、特に男性用の尿パッドとして好適である。
【００６５】
上述した実施例は、何れも液不透過性のバックアップシート１１またはトラップシート１４を採用する必要があるが、可撓性を持った液不透過性の内袋を本発明の外袋としての袋状トラップ部１３Ｂに組み込んだ場合には、トラップシート１４として液透過性のものを使用することができる。
【００６６】
図１７およびそのXVIII−XVIII矢視断面構造を表す図１８は、このような内袋２７を組み込んだ実施例を示しており、吸収体１２はすべて内袋２７内に収容された状態となっている。内袋２７と共に袋状トラップ部１３Ｂを構成する外袋２８の下端の幅方向左右両端部には、外部と外袋２８内とを連通する切欠部２９が形成されており、可撓性を有する内袋２７内に尿が溜まると、この内袋２７が膨らみ、図１７中の二点鎖線で示すように、その一部が切欠部２９から膨出して内袋２７から外袋２８内に尿が溢れ出ないようになっている。
【００６７】
本実施例における内袋２７の外観を図１９に示し、ここに尿が一時的に溜まった状態の外観を模式的に図２０に示す。本実施例における内袋２７は、例えば長辺が２８cmで短辺が２４cmの矩形をなし、厚みが０．０２mmの日本サニパック株式会社製のＰＥフィルムで構成され、その長辺側の左右両側をそれぞれ内側に５cmずつ折り返して第１の折り返し部２７ａを形成し、また短辺側を１０cm上方に折り返すことにより第２の折り返し部２７ｂを形成し、さらにこの第２の折り返し部２７ｂを下方に折り返すことにより第３の折り返し部２７ｃを形成している。第３の折り返し部２７ｃの中央部およびその上方に位置する短辺側の上部中央部分は、吊り下げテープ３０の両端部に接合されている。
【００６８】
従って、内袋２７内に尿が排出されると、外袋２８内で内袋２７が膨らみ、吊り下げテープ３０の両側に位置する第１および第２の折り返し部２７ａ，２７ｂが重力により膨出し、これらが外袋２８の切欠部２９からそれぞれ膨出することができるようになっている。これによって、多量の尿が排出されたとしても外袋２８内に尿が漏れるのを防止することができる。
【００６９】
この内袋２７内に収容される本実施例における吸収体１２の外観を図２１に示す。すなわち、本実施例における吸収体１２は、例えば長辺が２８cmで短辺が２６cmの矩形をなす株式会社日本吸収体技術研究所製のメガシン（登録商標）という商品名の図４に示す如きシート状吸収体１２Ｓであり、その短辺をまず半分に折りたたみ、さらにその左右両側を内側に６cmずつ折り返した折りたたみ構造を有する。
【００７０】
この吸収体製品Ｐのバックアップシート１１およびトラップシート１４は、図２２に示すように、例えば長辺が３８cmで短辺が２０cmの矩形をなし、２０g/m2の Avgol 社製の不織布（Ｓ.Ｍ.Ｍ.Ｓ.タイプ）を用い、その長手方向一端から１４cmのところに７cmの長さの切欠２９Ｅを形成し、これら切欠２９Ｅ部分からトラップシート１４となる部分を折り返してその幅方向両側端縁部および上端縁部の左右両側にヒートシール１６を形成することによって得られる。この場合、トラップシート１４の上端縁部の左右両側にヒートシール１６を形成する前に、内袋２７および吸収体１２を外袋２８内に組み込んでおく必要がある。なお、本実施例では吸収体１２を折りたたんで内袋２７内に収容するようにしたが、先の実施例のように一端部のみ内袋２７内に収容されるようにした方が吸収体１２の膨潤性を最大限に生かすことができる。
【００７１】
上述した吸収体製品Ｐは、そのままの形態で従来の使い捨ておむつやショーツ，パンツなどの下ばきと組合わせた状態で使用することも可能であるが、この吸収体製品Ｐを所定位置に保持することが可能な装着部を具えた専用の下ばきも本発明の好ましい形態の１つである。
【００７２】
図２３〜図２６は、このような本発明による下ばきの参考例をそれぞれ示しており、これらの下ばきは、何れも平編み、例えばメリヤス編みのニット製品であることが着用時のフィット性を良好に保つ上で好ましい。
【００７３】
図２３は、図１７〜図２１に示した尿パッド、すなわち吸収体製品Ｐに適合させた下ばき３１の着用状態を示しており、図２４はその内側の構造を模式的に示している。切欠部２９から膨出可能な内袋２７を収容し得る逃げ部３２Ｃを形成したメッシュポケット３２が本発明の装着部として下ばき３１の内側に縫い付けられている。この下ばき３１の外側前身頃には、吸収体製品Ｐのバックアップシート１１の他端部にあらかじめ接合された固定用テープ３３を剥離可能に接合するための接合部３４が設けられており、これによって着用中における吸収体製品Ｐを安定して下ばき３１内に保持することができ、その位置ずれをなくすことが可能である。固定用テープ３３は、例えばその接合面に面ファスナを形成したものを採用することができ、これに対応する面ファスナが下ばき３１の接合部３４にも形成されている。
【００７４】
図２５に示した参考例における下ばき３１は、図１５に示した吸収体製品Ｐを収容し得る縦長のメッシュポケット３２を下ばき３１の内側に縫い付けたものである。
【００７５】
図２６に示した参考例における下ばき３１は、図１に示した吸収体製品Ｐの下端部の左右両側が差し込み可能な一対の弾性部材３５を傾斜状態で下ばき３１の内側に縫い付たものである。
【００７６】
このように、装着部の形状や構造は使用形態などに応じて適宜選択可能である。同様に、下ばき３１の外側の前身頃の部分に設けられる接合部３４も固定用テープ３３の形態に対応して適宜変更可能である。
【００７７】
図１７〜図２１に示した吸収体製品Ｐ（尿パッド）を実際に着用し、その吸収効果の確認実験を行った。使用した吸収体１２の基本特性は以下の通りである。
すなわち  ＳＡＰ目付け    １５０ｇ/m2
想定吸収量        ５５ml/ｇ
想定リテンション  ３５ml/ｇ
であり、従ってこの吸収体１２全体の想定吸収量は４００ml，想定リテンションは２６０mlとなる。
【００７８】
図２４に示す下ばき３１としてグンゼ株式会社製の申又式木綿トランクスＬサイズ（商品名）を男性被験者に着用させ、この状態で放尿させたところ、放尿後３０秒で内袋２７内が最大に膨らみ、その一部が切欠部２９から膨出したけれども、内袋２７から外袋２８内への尿漏れの発生は認められなかった。次いで、放尿開始から３分経過後、この吸収体製品Ｐを被験者から回収し、吸収体１２の吸収量を測定した結果、４３０mlの尿の吸収が確認された。この吸収量は２６０mlの想定リテンション量をはるかに上回り、さらに４００mlの想定吸収量をも上回る値であり、吸収が極めて効率的に行われたことを確認できた。
【００７９】
上述した実施例では、液体を一時的に貯溜するトラップ部を吸収体製品に組み込んだものについて説明したが、このトラップ部を下ばき自体に設けたものも本発明に包含される。
【００８０】
このような本発明による下ばきを女性用パンティに応用した実施例の外観を図２７に示し、その股下部の平面形状を図２８に示し、そのXXIX−XXIX矢視断面形状を図２９に示す。すなわち、この下ばき３１の股下部は、液不透過性のバックアップシート１１で形成されており、それ以外の部分は着用性の点で綿などのメリヤス編みにて形成されている。ただし、バックアップシート１１の強度を充分に得ることができない場合には、下ばき３１全体を綿などのメリヤス編みにて形成し、その股下部にバックアップシート１１を内張りすることも有効である。このバックアップシート１１の左右両側縁部には、パイピング処理された股下部の左右両側縁部に沿って延在する開口２２をそれぞれ有する一対のスリット状トラップ部１３Ｃが形成されており、これらは本発明の装着部を構成する。股下部の前後両端部には、液不透過性のトラップシート１４がそれぞれ配設され、これらの股下部の中央側を向く端縁部以外の外周縁部がバックアップシート１１に接合され、バックアップシート１１との間に袋状トラップ部１３Ｂを形成している。さらに、これらバックアップシート１１およびトラップシート１４に重なり合う左右一対のメッシュシート３６の外周縁部が股下部に縫い込まれ、これらの内側端縁部が相互に重なり合うように、トラップシート１４に接合されている。股下部の左右両側には立体ギャザーを形成する液不透過性の一対のサイドシート３７が設けられており、これらの内側端縁部にはバイアステープなどの弾性部材３８が伸長状態で配設されている。
【００８１】
従って、この下ばき３１に吸収体１２を装着する際には、吸収体１２の長手方向両端部が袋状トラップ部１３Ｂ内に収容されるように、一対のトラップシート１４の間のメッシュシート３６の重なり部分を開いて吸収体１２を内側に差し込み、これを股下部に保持させる。吸収体１２は、この下ばき３１に対して取り外し可能であるので、必要に応じて吸収体１２を交換することにより、この下ばき３１を反復使用することができる。この場合、吸収体１２は図４に示すようなシート状吸収体１２Ｓをそのまま使用することが可能である。
【００８２】
使用中に吸収体１２によって瞬時に吸収し切れない尿は袋状トラップ部１３Ｂおよびスリット状トラップ部１３Ｃ内に一時的に収容され、時間の経過に伴って吸収体１２に漸次吸収保持されることとなり、極めて大量の尿を効率良く吸収させることができる。
【００８３】
このような下ばきを男性用ブリーフに適用する場合、上述した左右一対のトラップ部の位置を変更した方が好ましい。例えば、本発明による下ばきを男性用ブリーフに応用した実施例の股下部の平面形状を図３０に示し、そのXXXI−XXXI矢視断面形状を図３１に示す。すなわち、全体がメリヤス編みの綿で構成された下ばき３１の股下部は、液不透過性のバックアップシート１１で内張りされており、その前後両端部には、液不透過性のトラップシート１４がそれぞれ配設され、これらの股下部の中央側を向く端縁部以外の外周縁部がバックアップシート１１に接合され、バックアップシート１１との間に本発明の装着部としての袋状トラップ部１３Ｂを形成している。股下部の左右両側には立体ギャザーを形成する液不透過性の一対のサイドシート３７が設けられており、これらの内側端縁部には弾性部材３８が伸長状態で配設されている。本実施例においても、吸収体１２が着用者の肌に直接触れないように、一対の袋状トラップ部１３Ｂの間に露出するバックアップシート１１と重なり合うメッシュシート３６の左右両端部が股下部の左右両側縁部に接合されている。
【００８４】
従って、吸収体１２の長手方向両端部が袋状トラップ部１３Ｂ内に収容されるように、図４に示すような吸収体１２をメッシュシート３６の長手方向端部から内側に差し込み、これを股下部に保持させることができる。吸収体１２は、この下ばき３１に対して取り外し可能であるので、必要に応じて吸収体１２を交換することにより、この下ばき３１を反復使用することができる。
【００８５】
先の実施例と同様に、吸収体１２によって瞬時に吸収し切れない尿は、重力方向下側に位置する袋状トラップ部１３Ｂ内に一時的に収容され、時間の経過に伴って吸収体１２に漸次吸収保持されることとなる。
【００８６】
【発明の効果】
本発明の第１の形態の吸収体製品によると、液体を吸収してこれを保持し得る吸収体と、この吸収体によって吸収されるべき液体を一時的に貯溜する可撓性かつ液不透過性のトラップ部と、このトラップ部内に貯溜された液体を前記吸収体に導くための誘導部材とを具えているので、吸収体が短時間で吸収し切れない液体を一時的にトラップ部に貯溜させ、このトラップ部に貯溜された液体を時間の経過に伴って吸収体に漸次吸収させることが可能となり、吸収体の吸収能力を最大限に発揮させることができる。この結果、吸収体自体の構造を簡略化して吸収体製品を薄くし、着用性を改善することも可能となる。また、吸収体とトラップ部とが離れていたとしても、トラップ部内に貯溜された液体を確実に吸収体に吸収させることができる。
【００８７】
トラップ部を液不透過性のシートによって形成し、このシートの表面と吸収体の少なくとも一部とを重ね合わせた場合には、このシートを介して液体を吸収体に吸収させることができる。
【００８８】
シートの表面に臨む開口をトラップ部に設けた場合には、この開口を介して液体をトラップ部に導くことができる。
【００８９】
開口を吸収体の長手方向に沿って延在させた場合には、トラップ部の全域にほぼ均一に液体を保持させることができる。
【００９０】
開口を吸収体の幅方向に沿って延在させた場合には、トラップ部の全域にほぼ均一に液体を保持させることができる。
【００９１】
開口を跨ぐように吸収体を配した場合には、トラップ部内に貯溜された液体を特別な工夫をせずに開口から吸収体に吸収させることができる。
【００９２】
本発明の第２の形態の吸収体製品によると、液体を吸収してこれを保持し得る吸収体と、この吸収体によって吸収されるべき液体を一時的に貯溜する可撓性かつ液不透過性のトラップ部とを具え、このトラップ部は、表面が吸収体の少なくとも一部に重なり合う液不透過性のシートにより形成されると共にこのシートの表面に臨む開口をトラップ部に形成し、開口を跨ぐように配される吸収体にシートの表面に対して反対側の面からこのトラップ部の開口に臨む連通孔を吸収体に設けたので、液体が短時間で排出された場合であっても、これを迅速にトラップ部に導くことができる。
【００９３】
本発明の第３の形態の吸収体製品によると、液体を吸収してこれを保持し得る吸収体と、この吸収体の幅方向両側縁部から側方に延在し、液不透過性のシートにより形成された一対のフラップ部と、これら一対のフラップ部に形成され、吸収体によって吸収されるべき液体を一時的に貯溜する可撓性のトラップ部とを具え、トラップ部は、これら一対のフラップ部の表面に臨むスリット状の開口をそれぞれ有するので、吸収体に対してトラップ部を離して配置することができる上、より大量の液体を一時的に貯溜することができる。
【００９４】
吸収体の幅方向両側にトラップ部を配した場合には、より大量の液体を一時的に貯溜することができる。
【００９６】
本発明の第４の形態の吸収体製品によると、液体を吸収してこれを保持し得る吸収体と、この吸収体によって吸収されるべき液体を一時的に貯溜する可撓性かつ液不透過性のトラップ部とを具え、このトラップ部を液不透過性のシートにより形成し、このトラップ部に男性の陰茎をその内側に導くための陰茎案内部を設け、吸収体の少なくとも一端部をトラップ部に収容したので、大量の尿をトラップ部に貯溜することができる上、トラップ内でより迅速に尿を吸収させることができる。
【００９７】
トラップ部が吸収体の長手方向一端部を収容するポケット状をなす場合には、大量の液体をトラップ部に貯溜することができる。
【００９８】
トラップ部が、男性の陰茎を内側に導くための陰茎案内部を有する外袋と、この外袋内に収容されると共に吸収体の少なくとも一端部が収容される可撓性を持った液不透過性の内袋とを有する場合には、着用者の肌に接触する外袋に液透過性を持たせることができ、良好な着用感を得ることができる。
【００９９】
内袋が膨出可能な折り返し部を有する場合には、大量の液体を内袋に貯溜することができる。
【０１００】
内袋の折り返し部の一部が外袋の外側に膨出し得る開口部を外袋に設けた場合には、吸収体によって吸収し切れずに一時的に内袋内に大量の液体が溜まっても、折り返し部が膨らんで開口部から外袋の外側に膨出させることができ、内袋から液体が溢れ出るような不具合を未然に防止することができる。
【０１０１】
シートに対する吸収体の位置ずれを防止するための位置ずれ防止部材を吸収体とシートとの間に設けた場合には、シートに対する吸収体の位置ずれを未然に防止することができる。
【０１０２】
シートの左右両側縁部に沿って一対の弾性部材をシートの左右両側縁部に伸長状態で接合した場合には、吸収体製品の使用時に着用者の肌に対する密着性を高めることができる。
【０１０３】
シート状をなす不織布基材と、この不織布基材に所定間隔で塗工された複数の液吸収部とを吸収体が有する場合、特に吸収体が５０〜９５重量％のＳＡＰを含んでいる場合には、従来の薄型おむつなどと比較すると嵩容積を１／３以下にコンパクト化することができ、子供用から大人用に至る種々のタイプの吸収体製品を提供することができる。
【０１０４】
吸収体が水崩壊性を有する場合には、特別な処理などを行わずにそのまま廃棄することが可能となる。
【０１０５】
本発明による吸収体製品の製造方法によると、単一のシート材料の幅方向両側縁部にそれぞれ開口し、それぞれ開口部となる一対の切欠をこの単一のシート材料の幅方向に沿って一直線状に形成し、一対の切欠を含むように単一のシート材料をその幅方向に沿って折り返し、折り返された単一のシート材料の相互に重なり合う幅方向両側縁部を接合してトラップ部を形成したので、容易かつ合理的に本発明の吸収体製品を製造することができる。
【０１０６】
本発明の吸収体製品に用いられる内袋によると、複雑な蛇腹構造などにせずとも、矩形のフィルムを折りたたみ、所定箇所を吊り下げテープで接合するだけで、膨出させる部分を確実に形成することができる。
【０１０７】
本発明による内袋の製造方法によると、矩形のフィルムを折りたたみ、所定箇所を吊り下げテープで接合するだけで極めて容易かつ低コストにて内袋を製造することができる。
【０１１２】
本発明の第８の形態の下ばきによると、液体を吸収してこれを保持し得る吸収体を取り外し可能に保持するための吸収体保持部と、この吸収体によって吸収されるべき液体を一時的に貯溜する可撓性かつ液不透過性のトラップ部とを具え、このトラップ部が下ばきの内面に臨む開口を有するので、吸収体が短時間で吸収し切れない液体を一時的にトラップ部に貯溜させ、このトラップ部に貯溜された液体を時間の経過に伴って吸収体に漸次吸収させることが可能となり、吸収体の吸収能力を最大限に発揮させることができる。この結果、吸収体自体の構造を簡略化することができ、その着用性を改善することも可能である。
【０１１３】
本発明の第８の形態による下ばきにおいて、液体を吸収してこれを保持し得る吸収体をさらに具えた場合には、吸収体が短時間で吸収し切れない液体を一時的にトラップ部に貯溜させ、このトラップ部に貯溜された液体を時間の経過に伴って吸収体に漸次吸収させることが可能となり、吸収体の吸収能力を最大限に発揮させることができる。この結果、吸収体自体の構造を簡略化することができ、その着用性を改善することも可能である。
【０１１４】
下ばきの内面に臨む開口をトラップ部に設けた場合には、この開口を介して液体をトラップ部に導くことができる。
【０１１５】
開口を吸収体の長手方向に沿って延在させた場合には、トラップ部の全域にほぼ均一に液体を保持させることができる。
【０１１６】
トラップ部を下ばきの股下部の左右両側に配した場合は、より大量の液体を一時的に貯溜することができる。
【０１１７】
トラップ部を吸収体の幅方向両側に配した場合には、より大量の液体を一時的に貯溜することができる。
【０１１８】
吸収体の少なくとも一端部が差し込まれる開口をトラップ部に設けた場合には、トラップ部内に貯溜された液体を特別な工夫をせずとも開口から吸収体に吸収させることができる。
【０１１９】
吸収体が、シート状をなす不織布基材と、この不織布基材に所定間隔で塗工された複数の液吸収部とを有する場合、特に吸収体が５０〜９５重量％のＳＡＰを含んでいる場合には、液体の吸収保持能力を極めて高くすることができるため、下ばきの吸収体が収容される部分を薄くして着用性をより一層改善することができる。
【図面の簡単な説明】
【図１】本発明による吸収体製品の第１実施例の正面図である。
【図２】本発明による吸収体製品の第２実施例の外観を表す斜視図である。
【図３】図２に示した実施例の中央部縦断面図である。
【図４】本発明における吸収体の一例の外観を表す斜視図である。
【図５】本発明による吸収体製品の第３実施例の正面図である。
【図６】本発明による吸収体製品の第４実施例の正面図である。
【図７】図６中のVII−VII矢視断面図である。
【図８】本発明による吸収体製品の第５実施例の正面図である。
【図９】図８中のIX−IX矢視断面図である。
【図１０】本発明による吸収体製品の第６実施例の正面図である。
【図１１】図１０中のXI−XI矢視断面図である。
【図１２】本発明による吸収体製品の第７実施例の平面図である。
【図１３】本発明による吸収体製品の第８実施例の平面図である。
【図１４】図１３中のXIV−XIV矢視断面図である。
【図１５】本発明による吸収体製品を男性用失禁パッドに応用した実施例の正面図である。
【図１６】本発明による吸収体製品を男性用失禁パッドに応用した他の実施例の中央部縦断面図である。
【図１７】本発明による吸収体製品を男性用失禁パッドに応用した別な実施例の正面図である。
【図１８】図１７中のXVIII−XVIII矢視断面図である。
【図１９】図１７に示した実施例における内袋の外観を表す斜視図である。
【図２０】図１７に示した内袋に液体が一時的に貯溜された状態の外観を模式的に表す斜視図である。
【図２１】図１７に示した実施例における吸収体の外観を表す斜視図である。
【図２２】図１７に示した実施例におけるシートの展開状態を表す平面図である。
【図２３】図１７に示した実施例の使用状態を表す概念図である。
【図２４】  下ばきの参考例および本発明による吸収体製品を男性用ブリーフに適用した実施例の概念図である。
【図２５】  下ばきの参考例および本発明による吸収体製品を男性用ブリーフに適用した他の実施例の概念図である。
【図２６】  下ばきの参考例および本発明による吸収体製品の他の適用例の内面図である。
【図２７】本発明による下ばきを女性用パンティに応用した実施例の外観を表す斜視図である。
【図２８】図２７に示した実施例の股下部を内側から見た平面図である。
【図２９】図２８中のXXIX−XXIX矢視断面図である。
【図３０】本発明による下ばきを男性用ブリーフに応用した他の実施例の股下部を内側から見た平面図である。
【図３１】図３０中のXXXI−XXXI矢視断面図である。
【符号の説明】
Ｐ  吸収体製品
Ｇ  隙間
１１  バックアップシート
１２  吸収体
１２Ｓ  シート状吸収体
１３Ｂ  袋状トラップ部
１３Ｃ  スリット状トラップ部
１４  トラップシート
１５  開口
１６  ヒートシール
１７  仮止めテープ
１８  ベースシート
１９  高吸収層
２０  位置ずれ防止部材
２１  弾性部材
２２  開口
２３  誘導シート
２４  連通孔
２５  フラップ部
２６  切欠
２７  内袋
２７ａ  第１の折り返し部
２７ｂ  第２の折り返し部
２７ｃ  第３の折り返し部
２８  外袋
２９  切欠部
２９Ｅ  切欠
３０  吊り下げテープ
３１  下ばき
３２  メッシュポケット
３２Ｃ  逃げ部
３３  固定用テープ
３４  接合部
３５  弾性部材
３６  メッシュシート
３７  サイドシート
３８  弾性部材
【図１】
0004153204.tif 000002
【図２】
0004153204.tif 000003
【図３】
0004153204.tif 000004
【図４】
0004153204.tif 000005
【図５】
0004153204.tif 000006
【図６】
0004153204.tif 000007
【図７】
0004153204.tif 000008
【図８】
0004153204.tif 000009
【図９】
0004153204.tif 000010
【図１０】
0004153204.tif 000011
【図１１】
0004153204.tif 000012
【図１２】
0004153204.tif 000013
【図１３】
0004153204.tif 000014
【図１４】
0004153204.tif 000015
【図１５】
0004153204.tif 000016
【図１６】
0004153204.tif 000017
【図１７】
0004153204.tif 000018
【図１８】
0004153204.tif 000019
【図１９】
0004153204.tif 000020
【図２０】
0004153204.tif 000021
【図２１】
0004153204.tif 000022
【図２２】
0004153204.tif 000023
【図２３】
0004153204.tif 000024
【図２４】
0004153204.tif 000025
【図２５】
0004153204.tif 000026
【図２６】
0004153204.tif 000027
【図２７】
0004153204.tif 000028
【図２８】
0004153204.tif 000029
【図２９】
0004153204.tif 000030
【図３０】
0004153204.tif 000031
【図３１】
0004153204.tif 000032